(57)【要約】      （修正有）【課題】店頭で見栄えが良く、香りのサンプル体を交換する事によって継続して使用できる、芳香剤の香り見本を提供する。【解決手段】芳香剤５２の容器本体５１と、前記容器本体の開口部に、当該開口部を覆って装着したパッキン５３と、当該パッキン上に配置された通気孔５６ａ，５６ｂを有する蓋体５７と、を有する芳香剤容器において、前記パッキンの上面と、前記蓋体の内面の間には、芳香剤を含有又は含浸させた香りのサンプル体５５を載置可能な空間部を形成する。前記芳香剤の容器本体内には芳香剤もしくは、芳香剤成分を含まない充填物が充填される。【選択図】図５
0003165444.tif 000002
【実用新案登録請求の範囲】
【請求項１】
芳香剤の容器本体と、
前記容器本体の開口部に、当該開口部を覆って装着したパッキンと、
当該パッキン上に配置された通気孔を有する蓋体と、を有する芳香剤容器において、
前記パッキンの上面と、前記蓋体の内面の間には、芳香剤を含有又は含浸させた香りのサンプル体を載置可能な空間部が形成される事を特徴とする香りのサンプル体収納部を有する芳香剤容器。
【請求項２】
前記芳香剤を含有又は含浸させた香りのサンプル体は気密袋体に収納されており、香りのサンプル体の使用時に前記空間部に装着可能に構成されることを特徴とする請求項１記載の香りのサンプル体収納部を有する芳香剤容器。
【請求項３】
前記芳香剤を含有又は含浸させた香りのサンプル体が、前記空間部に装着されていることを特徴とする請求項１記載の香りのサンプル体収納部を有する芳香剤容器。
【請求項４】
前記芳香剤の容器本体内に芳香剤が充填されていることを特徴とする請求項１〜３の何れか１項に記載の香りのサンプル体収納部を有する芳香剤容器。
【請求項５】
前記芳香剤の容器本体内に芳香剤成分を含まない充填物が充填されていることを特徴とする請求項１〜３の何れか１項に記載の香りのサンプル体収納部を有する芳香剤容器。
【請求項６】
前記容器本体の開口部を覆って装着したパッキンが、前記容器本体の開口部外側に螺着されたカップリングにより前記開口部に押圧されていることを特徴とする請求項１〜５の何れか１項に記載の香りのサンプル体収納部を有する芳香剤容器。
【請求項７】
前記容器本体の開口部を覆って装着したパッキンが、前記容器本体の開口部外側に螺着された前記蓋体により前記開口部に押圧されていることを特徴とする請求項１〜５の何れか１項に記載に記載の香りのサンプル体収納部を有する芳香剤容器。
【考案の詳細な説明】
【技術分野】
【０００１】
本考案は、店頭で陳列販売される際に、香りのサンプルとして展示される芳香剤容器の改良に関する。
【背景技術】
【０００２】
これまで、店頭で芳香剤がどのような香りを有するかを顧客に知らせるためのサンプル、すなわち香りのサンプルを提供するには、芳香剤容器の実売品をそのまま使用状態にして用いる場合が多い。例えば、未使用状態では図１に示すように、内部に液体状芳香剤１を収容した容器本体２の開口部に液状芳香剤吸い上げ用の芯３をホルダ４で支持するとともに、前記芯３の頭部に前記液状芳香剤１の拡散防止用のキャップ５を被せたうえ、これを容器本体２の開口部に螺着するカップリング８で固定したうえ、当該カップリング８全体に通気孔６ａ、６ｂを有する蓋体７を被せた状態となっている製品を用いて、図２に示すように、前記キャップ５を取り外して実使用状態にする。このようにすれば、液状芳香剤１は芯３によって吸い上げられ蓋体７の通気孔６ａ、６ｂを通して矢符のように拡散するから、顧客は芳香液１の香りを確認することができる。
【０００３】
また、芳香剤が固形状あるいはジェル状である場合は、図３に示すように、未使用状態において、内部に固形状またはジェル状芳香剤３１を収容した容器本体３２の開口部をシール３３で気密に覆ったうえ、開口部全体に通気孔３４ａ、３４ｂを有する蓋体３５を被せた状態となっている製品を用いて、図４に示すように、シール３３を取り外して実使用状態にする。このようにすれば、芳香剤３１の香りは蓋体３５の通気孔３４ａ、３４ｂを通して矢符のように拡散するから、顧客は芳香剤３１の香りを確認することができる。
【０００４】
しかし、上記のような手段では、実売品をそのまま使用しているため、芳香剤がなくなると製品をまるまる１個取替えなければならないので、販促費が嵩む結果となる。また、一般的には透明な容器本体の内部の芳香剤が減ってくると外観が汚く見えて顧客の印象に悪影響を及ぼし、売り上げに響くことが考えられる。
【０００５】
また、前記とは別の手段として、香りを確認するだけの目的で、実売品とは別に芳香剤またはその含浸体のみを小さい容器に収納して香りのサンプルとして展示することも考えられる。
【０００６】
しかし、このような手段では、香りのサンプル容器と芳香剤の実売容器とを同時に展示すると展示スペースが大きくなるばかりでなく、展示作業に手間がかかる結果となり、香りのサンプル容器のみを展示すると、実売容器を展示しないことから製品に対する顧客の印象が弱くなる恐れがある。
【０００７】
なお、キャップ（蓋体）に各種種態の芳香剤を内蔵し、容器本体からキャップを外した際にキャップ自体から芳香作用を発揮できるとともに、該キャップからの芳香作用をもって容器本体内の被収納物や被充填物にもその芳香を含浸させることができるようにした技術が知られているが（特開平７−２０６０２６号）、これは、キャップを外さない開けない限りキャップに内蔵した芳香剤の香りを確認することができないだけでなく、キャップに内蔵した芳香剤によって容器本体内の被収納物や被充填物にその芳香を含浸させるものであって、前記キャップに内蔵した芳香剤が前記被収納物や被充填物の香りのサンプルであるという思想は全く開示されていない。
【０００８】
さらに、容器本体と蓋とからなり、該蓋の内部天井面に芳香液を含浸させた含浸体を取り付けてなる芳香性容器も知られている（実開昭６０−１３３６０号）。
しかし、これも蓋を外さない限り内蔵した芳香剤の香りを確認することができないだけでなく、キャップに内蔵した芳香剤によって容器本体内の化粧品や飲食品にその芳香を含浸させるものであって、キャップに内蔵した芳香剤が前記被収納物や被充填物の香りのサンプルであるという思想は全く開示されていない。
【先行技術文献】
【特許文献】
【０００９】
【特許文献１】特開平７−２０６０２６号公報
【特許文献２】実開昭６０−１３３６０号公報
【考案の概要】
【考案が解決しようとする課題】
【００１０】
この考案は、芳香剤の実売品を用いて、あるいは芳香剤の実売品を用いることなく、芳香剤容器の開口部付近に香りのサンプル体を設置するとともに、この部分を、通気孔を設けた蓋体で覆うことにより、店頭で見栄えが良く、香りのサンプル体を交換する事によって継続して使用できる、芳香剤の香り見本の提供を実現させるものである。
【課題を解決するための手段】
【００１１】
本考案では、前記の課題を達成するために、芳香剤容器を次のように構成することを特徴としている。
すなわち、芳香剤の容器本体と、前記容器本体の開口部に、当該開口部を覆って装着したパッキンと、当該パッキン上に配置された通気孔を有する蓋体と、を有する芳香剤容器において、前記パッキンの上面と、前記蓋体の内面の間には、芳香剤を含有又は含浸させた香りのサンプル体を載置可能な空間部が形成される、香りのサンプル体収納部を有する芳香剤容器を構成する。
【００１２】
更に前記芳香剤を含有又は含浸させた香りのサンプル体は気密袋体に収納されており、香りのサンプル体の使用時に前記空間部に装着可能に構成すると良い。
【００１３】
また、前記芳香剤を含有又は含浸させた香りのサンプル体が、前記空間部に装着されている構成としても良い。
【００１４】
また、前記芳香剤の容器本体内に芳香剤が充填された構成とする事が出来る。
【００１５】
また、前記芳香剤の容器本体内に芳香剤成分を含まない充填物が充填される構成としても良い。
【００１６】
また、前記容器本体の開口部を覆って装着したパッキンが、前記容器本体の開口部外側に螺着されたカップリングにより前記開口部に押圧される様に構成する事が出来る。
【００１７】
また、前記容器本体の開口部を覆って装着したパッキンが、前記容器本体の開口部外側に螺着された前記蓋体により前記開口部に押圧される様に構成しても良い。
【考案の効果】
【００１８】
本考案の香りのサンプル体収納部を有する芳香剤容器は、容器本体内の充填物とはパッキンによって分離された香りのサンプル体を芳香剤容器の開口部付近に設置する事により、容器本体内の充填物が減らないため店頭で見栄えが良く、香りのサンプル体を交換する事によって継続して使用できるため、経済的である。
【００１９】
前記パッキン上に載置または装着する香りのサンプル体は、未使用状態ではアルミ箔などで構成した気密袋体に収納すれば、未使用品の芳香剤成分の発散が抑えられると共に、必要に応じて補充または交換する事が容易となる。
【００２０】
香りのサンプル体６６を前記気密袋体６８に収納せずに、販売用として出荷する芳香剤に初めから香りのサンプル体６６を組み込んでおけば、店頭に芳香剤の香りの見本品を展示する必要がなくなり、消費者は購入を検討する製品に組み込まれた香りのサンプル体６６から発散する香りによって、好みの製品を直接、販売品から選択する事が可能になる。
【００２１】
また、前記容器本体の内部には必ずしも芳香剤成分を含む充填物を入れておく必要はなく、退色性や、安全性、経済性等の観点により既存の技術を用いて改善された充填物を入れることができる。
【００２２】
容器本体の開口部を覆って装着したパッキンを、前記容器本体の開口部外側に螺着されたカップリングにより前記開口部に押圧することにより、芳香剤が液状の場合に蒸発し易いのを防ぐことができる。
【００２３】
容器本体の開口部に装着したパッキンを、前記容器の開口部外側に螺着された前記蓋体により直接に押圧することによりパッキン押圧のためのカップリングを省略することもできる。
【図面の簡単な説明】
【００２４】
【図１】液体状芳香剤を収納した従来の芳香剤容器の使用前の断面図
【図２】液体状芳香剤を収納した従来の芳香剤容器の使用時の断面図
【図３】固形状芳香剤を収納した従来の芳香剤容器の使用前の断面図
【図４】固形状芳香剤を収納した従来の芳香剤容器の使用時の断面図
【図５】液体状芳香剤を収納した本考案に係る芳香剤容器の断面図
【図６】固形状芳香剤を収納した本考案に係る芳香剤容器の断面図
【図７】本考案に係る容器本体の開口部に装着するパッキンの斜視図
【図８】本考案に用いる香りサンプル体とそれを収納しておく袋体の平面図
【考案を実施するための形態】
【実施例１】
【００２５】
図５は本考案に係る香りのサンプル体収納部を有する芳香剤容器の一実施例を示す。これは、容器本体５１の内部に液体状の芳香剤５２を収納するとともに、前記容器本体５１の開口部に皿状のパッキン５３を装着して、これを、前記容器本体５１の開口部外側に螺着されたカップリング５４により前記開口部に押圧するように構成され、前記カップリングには通気孔５６ａ、５６ｂを有する蓋体５７が装着してあり、前記パッキン５３の上面と、前記蓋体５７の内面の間には、前記芳香剤５２を含浸させた香りのサンプル体５５を載置可能な空間部５８を形成する。
【００２６】
このような構造によれば、顧客は蓋体５７の通気孔５６ａ、５６ｂを通して香りのサンプル体５５から矢符のように拡散する香りによって容器本体５１内の芳香剤の香りを確認することができる。
【００２７】
尚、本考案において香りのサンプル体５５は、必ずしも前記芳香剤５と同じ物質を含浸させる必要は無く、製品の香りの表示に適合する香りを発するものであれば良い。例えば消費者が香りのサンプルに顔を近づければ香りを識別できる程度の弱い発散性能にすることによって香りの持続期間を長期化すれば、香りのサンプル体５５が長持ちすると共に、消費者は周囲に展示してある芳香剤の香りの影響を受けずに、正しく製品の香りを識別する事が可能になる。
【００２８】
更に、本考案において、容器本体５１の内部に収納する内容物を液体状の芳香剤５２の換わりに、着色の為の顔料成分を添加した水など、香料成分を含まない物質にしても良く、退色に強い内容物にする事によってサンプルとしての寿命を延ばす事が出来、更に内容物をゲル状物または常温で固形化する物質とする事で、芳香剤容器が落下等によって破損しても、その片付けが容易となる。
【実施例２】
【００２９】
図６は本考案の他の実施例を示す。同図において、６１は容器本体、６２は前記容器本体６１に収納した固形状またはジェル状の芳香剤である。６３は皿状のパッキンであって、前記容器本体６１の開口部に装着したうえ、前記開口部に螺着した蓋体６４によって前記開口部に押圧してある。前記蓋体６４は適数の通気孔６５ａ、６５ｂを備えており、前記パッキン６３の上面と、前記蓋体６４の内面の間には、製品の香りの表示に適合する香りを発する香りのサンプル体６６を載置可能に構成する。
【００３０】
このような構造によれば、顧客は蓋体６４の通気孔６５ａ、６５ｂを通して香りのサンプル体５５から矢符のように拡散する香りによって容器本体５１内の芳香剤の香りを確認することができる。
【００３１】
図６における前記パッキン６３は、例えば図７に示すような形状と構造を備えている。すなわち、平坦な底部に香りのサンプル体の移動を防止するための突起部６７ａ、６７ｂおよび６７ｃが設けてある。
【００３２】
尚、前記パッキン６３の上に装着する香りのサンプル体６６として、例えば図８に示す様に、未使用状態の香りのサンプル体６６を収納しておくアルミ箔などで構成した気密袋体６８を示している。このような構成により、香りのサンプル体６６を必要に応じて補充または交換できる。尚、前記気密袋体６８には、適合する製品名、製品番号、有効期限、香りの名称等を表示すると良い。
【００３３】
また、芳香剤の販売製品の出荷とは別ルートで、前記香りのサンプル体６６の出荷を行い、販売促進物として販売店に配布する事よって、入荷した芳香剤の販売製品を利用して、店頭で香りのサンプル体を組み込む事が出来、更に香りが弱くなった時には香りのサンプル体６６を店頭で交換する様にすると良い。また、芳香剤の販売製品のパッケージ内に付属品として前記気密袋体６８に収納された香りのサンプル体６６を収納しておいても良い。更に、香りのサンプル体６６を前記気密袋体６８に収納せずに、出荷する芳香剤の販売製品に初めから香りのサンプル体６６を組み込んでおけば、店頭に芳香剤の香りの見本品を展示する必要がなくなり、消費者は購入を検討する製品に組み込まれた香りのサンプル体６６から発散する香りによって、好みの製品を直接、販売品から選択する事が可能になる。
【００３４】
尚、上記香りのサンプル体の収納構造や運用形態は、実施例２に限定されず、本考案の香りのサンプル体収納部を有する芳香剤容器に広く利用する事ができる。
【産業上の利用可能性】
【００３５】
本考案の香りのサンプル体収納部を有する芳香剤容器は、車載用、家庭用、業務用として店頭で陳列販売される際の、香りのサンプルとして産業上、広く利用することができる。
【符号の説明】
【００３６】
１：液体状芳香剤
２：容器本体
３：芯
４：ホルダ
５：キャップ
６、６ａ、６ｂ：通気孔
７：蓋体
８：カップリング
３１：ジェル状芳香剤
３２：容器本体
３３：シール
３４ａ、３４ｂ：通気孔
３５：蓋体
５１：容器本体
５２：芳香剤
５３：パッキン
５４：カップリング
５５：香りのサンプル体
５６ａ、５６ｂ：通気孔
５７：蓋体
６１：容器本体
６２：芳香剤
６３：パッキン
６４：蓋体
６５ａ、６５ｂ：通気孔
６６：香りのサンプル体
６７ａ、６７ｂ、６７ｃ：突起部
６８：気密袋体
【図１】
0003165444.tif 000003
【図２】
0003165444.tif 000004
【図３】
0003165444.tif 000005
【図４】
0003165444.tif 000006
【図５】
0003165444.tif 000007
【図６】
0003165444.tif 000008
【図７】
0003165444.tif 000009
【図８】
0003165444.tif 000010